(57)【要約】【課題】  医療用として使用可能な光導波繊維体であって、照射部において長手方向に略均一な光強度で外周面から光を出力可能な光導波繊維体を提供する。【解決手段】  光導波繊維体１は、一方向に延在するコア部３と、コア部３の外周に設けられておりコア部３より低い屈折率を有するクラッド部５とを有し、入射端１ａから出射端１ｂ側に向けて光を導波する。この光導波繊維体１は、コア部３とクラッド部５との間の屈折率差を利用して入射端１ａから出射端１ｂ側に向けて光を導波する導波部９と、出射端１ｂ側に位置しており導波部９と一体的に形成された照射部１１であって、導波部９を導波してきた光をクラッド部５の外周面１１ａから出力する照射部１１と、を有しており、照射部１１におけるコア部３に、光を散乱させる複数の散乱体１３が分散されている。【選択図】図１
2007163900.tif 000002
【特許請求の範囲】
【請求項１】
一方向に延在するコア部と、前記コア部の外周に設けられており前記コア部より低い屈折率を有するクラッド部とを有し、一端から他端側に向けて光を導波する光導波繊維体であって、
前記コア部と前記クラッド部との間の屈折率差を利用して前記一端から前記他端側に向けて前記光を導波する導波部と、
前記他端側に位置しており前記導波部と一体的に形成された照射部であって、前記導波部を導波してきた光を前記クラッド部の外周面から出力する照射部と、
を有し、
前記照射部における前記コア部に、光を散乱させる複数の散乱体が分散されていることを特徴とする光導波繊維体。
【請求項２】
前記複数の散乱体は、前記導波部側から前記他端側に向かうにつれて前記光の散乱係数を増加せしめるように前記コア部内に設けられていることを特徴とする請求項１に記載の光導波繊維体。
【請求項３】
前記照射部から出力される前記光の強度が、長手方向において略均一になるように、前記複数の散乱体の分布及び大きさのうち少なくとも一方が調整されていることを特徴とする請求項１に記載の光導波繊維体。
【請求項４】
前記コア部及び前記クラッド部の主成分が生体吸収性高分子であることを特徴とする請求項１〜３の何れか一項に記載の光導波繊維体。
【請求項５】
前記コア部の主成分はアモルファスであり、前記散乱体は前記主成分が結晶化したものであることを特徴とする請求項４に記載の光導波繊維体。
【発明の詳細な説明】
【技術分野】
【０００１】
本発明は、医療用として使用される光導波繊維体に関するものである。
【背景技術】
【０００２】
近年、ガン治療等の医療の分野において、光線力学的療法（PDT : Photodynamic Therapy）が注目されている。このＰＤＴをガン治療を例にして説明する。ＰＤＴでは、先ず、ガン親和感受性薬品（PS：フォトセンシタイザ）を人体（生体）に投与する。ＰＳはガン細胞に親和性を有するので、ガン組織に選択的に取り込まれる。次に、ＰＳを励起可能な波長の光をガン組織に照射する。これにより、ガン組織に取り込まれたＰＳが光励起され、励起されたＰＳが緩和する際に活性酸素又は活性ラジカル種といった活性種を発生させる。この活性種がガン組織を攻撃し、ガン組織を壊死させる。ＰＳは、ガン組織に取り込まれたもの以外は、ほぼ体外に放出されるので、薬剤投与による副作用が起こらない。
【０００３】
ＰＤＴにおいて、ガン組織などの病巣に光を照射する場合、病巣全体に光を照射させる手段として、例えば、特許文献１に記載されている光ファイバが利用されている。
【０００４】
特許文献１に記載の光ファイバでは、先端部においてコア部がテーパ状になっており先細りしている。そして、そのテーパ状のコア部の周囲のクラッド部に散乱体が分散されている。この光ファイバでは、コア部がテーパ状に形成されていることでクラッド部に漏れた光が散乱体で散乱されることによって、クラッド部の外周面から光が出力する。よって、光ファイバの先端部を病巣近傍に配置した後、光ファイバ内に光を入射させることで、病巣へ光を照射できることになる。
【特許文献１】特開平８−１６４２１５号公報
【発明の開示】
【発明が解決しようとする課題】
【０００５】
ところで、光ファイバを使用して病巣全体に均等に光を照射するために、病巣に照射される光の強度の均一化が望まれている。しかしながら、特許文献１に記載の光ファイバのように、コア部をテーパ状にしていても、クラッド部に漏れる光よりも依然としてコア部内を伝播する光の量が多く、かつテーパは形状制御が難しく散乱光強度の均一化が困難であるので、先端部（照射部）の外周面から長手方向において均一な強度で光を出力することが難しい。
【０００６】
そこで、本発明は、医療用として使用可能な光導波繊維体であって、照射部において長手方向に略均一な光強度で外周面から光を出力可能な光導波繊維体を提供することを目的とする。
【課題を解決するための手段】
【０００７】
本発明に係る光導波繊維体は、一方向に延在するコア部と、コア部の外周に設けられておりコア部より低い屈折率を有するクラッド部とを有し、一端から他端側に向けて光を導波する光導波繊維体であって、コア部とクラッド部との間の屈折率差を利用して一端から他端側に向けて光を導波する導波部と、他端側に位置しており導波部と一体的に形成された照射部であって、導波部を導波してきた光をクラッド部の外周面から出力する照射部と、を有し、照射部におけるコア部に、光を散乱させる複数の散乱体が分散されていることを特徴とする。
【０００８】
この場合、照射部におけるコア部内に複数の散乱体が分散されているので、導波部を導波してきた光は散乱体で散乱され、散乱された光の殆どはクラッド部を通ってクラッド部の外周面から出力される。
【０００９】
上記光導波繊維体では、コア・クラッド構造において光を伝播させるコア部内に散乱体を分散させているので、光の散乱量の調整が容易であり、結果として、照射部の外周面から出力される光の強度の長手方向における均一化を図れる。よって、例えば、病巣近傍に照射部を配置することで病巣に光をより均一な強度で照射できる。
【００１０】
また、本発明に係る光導波繊維体が有する複数の散乱体は、導波部側から他端側に向かうにつれて光の散乱係数を増加せしめるようにコア部内に設けられていることが好ましい。
【００１１】
この構成では、他端側に向けて光の散乱係数が増加しているので、他端側の方がより多くの光が散乱されることになる。従って、照射部内において、導波部側から順に光が散乱されてコア部内を伝播する光の強度が低下したとしても、外周面から出力される光の強度が長手方向において均一になる。
【００１２】
また、本発明に係る光導波繊維体では、照射部から出力される光の強度が、長手方向において略均一になるように、複数の散乱体の分布及び大きさのうち少なくとも一方が調整されていることが好ましい。
【００１３】
この場合、散乱体の分布及び大きさが上記のように調整されているので、照射部において、光は、その強度が長手方向において略均一となるように出力される。よって、光導波繊維体を例えばＰＤＴに適用した場合、病巣に光をより均一に照射することが可能である。
【００１４】
また、本発明に係る光導波繊維体では、コア部及びクラッド部の主成分が生体吸収性高分子であることが好ましい。この場合、仮に、光導波繊維体の一部が破損したりして生体内に残ったとしても、生体に残った部分は生体に吸収されるので、生体への負荷が低減されることになる。
【００１５】
また、本発明に係る光導波繊維体では、コア部の主成分はアモルファスであり、散乱体は主成分が結晶化したものであることが好適である。この場合、コア部の主成分を結晶化することで散乱体が形成されており、結晶化している部分とその周りの部分との界面においてコア部を伝播する光が散乱されることになる。これにより、コア部を伝播する光の一部は、クラッド部を通ってクラッド部の外周面から光が出力される。
【発明の効果】
【００１６】
本発明に係る光導波繊維体は、照射部において長手方向に略均一な光強度で外周面から光を出力可能であり、医療用として使用可能である。
【発明を実施するための最良の形態】
【００１７】
以下、図面を参照して、本発明に係る光導波繊維体の実施形態について説明する。図示の便宜上、図面の寸法比率は説明のものと必ずしも一致しない。
【００１８】
図１は、本発明に係る光導波繊維体の一実施形態の断面図である。光導波繊維体１は、光線力学療法（PDT : Photodynamic Therapy）において、ガン組織などの病巣に光を照射するために使用される。光導波繊維体１は、いわゆる光ファイバであって、一方向に延在するコア部３と、コア部３の外周に設けられておりコア部３より小さい屈折率を有するクラッド部５と、を備える。
【００１９】
医療用として使用される光導波繊維体１の全長は例えば２〜３ｍである。コア部３の直径及びクラッド部５の直径としては、例えば次のような組み合わせがある。コア部３の直径が５００μｍである場合、クラッド部５の直径は例えば６００μｍである。また、コア部３の直径が例えば９００μｍである場合には、クラッド部５の直径は例えば１０００μｍである。
【００２０】
コア部３及びクラッド部５の主成分は、どちらもいわゆる生体吸収性高分子であるポリ乳酸である。コア部３及びクラッド部５の主成分としてのポリ乳酸はアモルファスである。なお、コア部３及びクラッド部５の主成分は、光導波繊維体１で伝播する光を殆ど吸収しないものであって、生体に分解・吸収されるものであればよく、ポリグリコール酸や、ポリ乳酸及びポリグリコール酸を組み合わせたもの、Poly(β-hydroxybutyrate)、Poly(β-hydroxybutyrate-co-valerate)、Poly(ε-caprolactone)、Poly(ethylenesuccinate)、Poly(butylenes succinate)、Poly(butylenes succinate-co-butyleneadipate)などの単体もしくは複合体、共重合体であってもよい。
【００２１】
コア部３の屈折率を、クラッド部５の屈折率より大きくするために、コア部３には添加剤７が添加されている。添加剤７は、コア部３の屈折率がクラッド部５の屈折率に対して約０．１％大きくなるように、又は、光導波繊維体１のＮＡが０．３以上になるようにコア部３に添加されている。添加剤７は、生体への負荷を低減する観点から、食用の染料や、ビタミンや、医療用染料などが好ましい。ここでは、コア部３に添加剤７を添加するとしたが、必ずしも添加されている必要はなく、コア部３の屈折率がクラッド部５の屈折率より大きければよい。
【００２２】
食用染料としては、クチナシ黄色色素、クチナシ黄色素、ベニバナ黄色素、ウコン色素、ベニコウジ黄色素、パーム油カロテン、ベニコウジ色素、クチナシ赤色素、ベニバナ赤色素、ビートレッド、コチニール色素、ラック色素、アカネ色素、シソ色素、アカキャベツ色素、アカダイコン色素、ムラサキイモ色素、ムラサキトウモロコシ色素、ブドウ果皮色素、エルダーベリー色素、ブドウ果汁色素、ブルーベリー色素、トウガラシ色素、アナトー色素、クロロフィル、クチナシ青色素、スピルリナ色素、カカオ色素、タマリンド色素、カキ色素、コウリャン色素、植物炭末色素、ヘモグロビン等の天然染料や、Tartrazine、Sunset Yellow FCF、Amaranth、Erythrosine、Allura Red AC、NewCoccine、Phloxine、Rose Bengale、Acid Red、Brilliant Blue FCF、Indigo Carmine等の人工染料、や、更に、βカロチン、アナトー色素なども例示される。
【００２３】
更に、ビタミンとしては、ビタミンＡ、ビタミンＫ１、ビタミンＫ２、ビタミンＫ３、ビタミンＤ２、ビタミンＤ３、ビタミンＥ、ビタミンＦ（リノール酸、リノレン酸）、ビタミンＢ１、ビタミンＢ２、ビタミンＭ、パントテン酸、リポ酸、ビタミンＢ９、ビタミンＢ１２、ビタミンＨ、ビタミンＣ、ビタミンＰなどが例示される。
【００２４】
また、医療用染料としては、医療用染料として使用可能な核酸標識試薬、ナイルブルーやマラカイトグリーンなどが例示される。
【００２５】
添加剤７が染料やビタミンなどのように高分子の場合、添加剤７としては、その重量平均分極率εＤＯＰが主成分の重量平均分極率εＰＢより大きいものが好ましい。通常、重量平均分極率が大きければ屈折率が大きくなるので、コア部３に添加する添加剤７として、その重量平均分極率εＤＯＰが主成分の重量平均分極率εＰＢより大きいものを選択することで、コア部３の屈折率をクラッド部５の屈折率より大きくできるからである。染料は、分子分極率が大きく、重量平均分極率も大きいため、屈折率調整用の添加剤７としてより好ましい。なお、高分子の構成原子の原子分極率に単位体積中の原子数をかけて原子種で和をとった値を体積分極率としたとき、体積分極率×密度=重量分極率である。
【００２６】
図１に示すように、光導波繊維体１は、コア部３の延在方向（長手方向）に沿って順に配置された導波部９と照射部１１とを有する。導波部９は、光導波繊維体１の一端である入射端１ａ側に位置しており、コア部３とクラッド部５との間の屈折率差を利用して入射端１ａから入射された光を照射部１１側に伝播せしめる。
【００２７】
照射部１１は、導波部９に一体的に形成されており、コア・クラッド構造を有する。照射部１１の全長は例えば約３０ｍｍである。照射部１１の全長が約３０ｍｍの場合、光導波繊維体１の長手方向において入射端１ａの反対側に位置する出射端（他端）１ｂから約３０ｍｍの位置に導波部９との境界を有することになる。
【００２８】
照射部１１には、コア部３及びクラッド部５に複数の散乱体１３が分散されている。散乱体１３の大きさはサブμｍ〜数１０μｍである。各散乱体１３は、コア部３及びクラッド部５の主成分であるポリ乳酸が結晶化したものである。結晶化した部分と、その周りのアモルファスの部分との界面においてコア部３を伝播する光が散乱されるので、結晶化した部分が散乱体１３として機能する。コア部３及びクラッド部５における主成分の重量ｗ１と添加剤７の重量ｗ２との比ｗ１／ｗ２は、０．５以上であることが好ましい。
【００２９】
上記照射部１１の構成では、導波部９から照射部１１に入射した光は、照射部１１内のコア・クラッド構造によってコア部３内を伝播する。コア部３内には、散乱体１３が分散されているので、コア部３を伝播する光の一部は、散乱体１３によって散乱される。この散乱された光の殆どは、コア・クラッド構造での全反射条件を満たさないので、コア部３からクラッド部５に入射してクラッド部５の外周面１１ａから照射部１１の側方（サイド）に出力される。散乱体１３で散乱されなかった光は出射端１ｂから出力されることになる。
【００３０】
光導波繊維体１では、出射端１ｂ側に向かうにつれて散乱体１３による光の散乱係数を大きくすることで、照射部１１において径方向（すなわち、側方）に出力される光の強度の長手方向における均一化が図られている。
【００３１】
ここで、導波部９側から出射端１ｂ側に向けて光の散乱係数を上記のように変化させることで、照射部１１から側方に出力される光の強度の前述したような均一化が図れることを、シミュレーション結果を利用して説明する。
【００３２】
図２は、シミュレーションのためにモデル化した光導波繊維体１の模式図である。シミュレーションでは、光導波繊維体１の長手方向をＸ軸とする。また、照射部１１と導波部９との境界（図２中、ハッチングで示す領域）の位置を原点とし、照射部１１の長さをＬ、言い換えれば出射端１ｂの位置をｘ＝Ｌとする。更に、コア部３内を伝播する光の位置ｘでの光強度をＰ（ｘ）とし、原点（ｘ＝０）での光強度をＰ（０）＝Ｐ０とする。
【００３３】
また、シミュレーションでは次の３点を前提とする。すなわち、(i)照射部１１の径方向に光強度分布はないとする。(ii)散乱した光は長手方向に直交する方向（径方向）のみに同心円状に放射されるとする。(iii)位置ｘでの散乱光強度ｄＰ（ｘ）は次式に示すように光強度Ｐ（ｘ）に比例するものとする。
【数１】
2007163900.tif 000003
式（１）における比例係数ｑ（ｘ）が散乱係数である。
【００３４】
散乱光強度ｄＰ（ｘ）が一定であるとき、Ｐ（ｘ）・ｑ（ｘ）は一定であるので、式（１）より、
【数２】
2007163900.tif 000004
が成り立つ。Ｌは照射部１１の長さで、Ｐ（Ｌ）はｘ＝Ｌでの光強度、すなわち、照射部１１に入射された光のうち散乱されずに照射部１１を抜けてしまう光強度を示している。
【００３５】
図３は、式（２）から得られる散乱係数ｑ（ｘ）の位置依存性を示すグラフである。図３には、式（２）でＰ（Ｌ）／Ｐ０を変化させた場合をそれぞれ示している。照射部１１の全長Ｌは３０ｍｍとした。横軸は原点からの距離を示し、縦軸は散乱係数ｑ（ｘ）[mm-1]を示している。図３は、外周面１１ａから出力される光の強度が長手方向で一定である、という条件の下では、散乱係数ｑ（ｘ）は、出射端１ｂに向けて大きくなることを示している。すなわち、図３に示すような散乱係数ｑ（ｘ）の勾配を形成することで、外周面１１ａから出力される光の強度を長手方向において均一にすることが可能である。散乱係数ｑ（ｘ）の勾配は、例えば、散乱体１３の分布密度や散乱体１３の大きさを照射部１１内で変化させることで形成される。
【００３６】
次に、光導波繊維体１の製造方法の一例を説明する。先ず、図４に示すように、押出成形法を利用して、アモルファスであるポリ乳酸を主成分とするコア部３及びクラッド部５とを備えた光導波繊維体１５を製造する。具体的には、押出成形機１７を利用して、コア部３を一層押し出しながらその周りにクラッド部５を押し出すことによって、光導波繊維体１５を製造する。ポリ乳酸ロッドを延伸して屈折率を大きくしておき、その外側に融点の低いポリ−ε−カプロラクトンをオーバークラッディングすることもできる。コア部３を構成する領域のポリ乳酸には、コア部３とクラッド部５との間の屈折率調整用の添加剤７として、食用の染料、ビタミン又は医療用染料を添加することもできる。
【００３７】
次いで、図５に示すように、コア部３及びクラッド部５を備えた光導波繊維体１５の先端部を、例えば、温度約１００℃の油浴１９に浸けてその先端部を加熱しながら、所定の速度（例えば、１０ｍ／分）で引き上げる。
【００３８】
生体吸収性高分子であるポリ乳酸は、ガラス転移温度未満ではアモルファスである（言い換えれば、非晶性を有する）が、ガラス転移温度以上に加熱すると結晶化され、多結晶微粒子が生成される。従って、上記のように先端部を油浴１９に浸けてポリ乳酸の一部を結晶化させることによって、光導波繊維体１５の先端部に散乱体１３が分散することになる。そして、所定の速度で光導波繊維体１５を引き上げているので、散乱体１３は、より長く加熱される出射端１ｂ側においてより大きなものが多く形成される。
【００３９】
以上説明したように、光導波繊維体１５を油浴１９から所定の速度で引き上げることによって、光導波繊維体１５のうち油浴１９を利用して加熱された領域（先端部）が照射部１１となり、加熱されなかった領域が導波部９となった光導波繊維体１が形成される。なお、油浴１９から光導波繊維体１５を引き上げるときの所定の速度は、照射部１１の外周面１１ａから出力される光の強度が、長手方向で略均一になる速度である。
【００４０】
この所定の速度の決定方法について説明する。ポリ乳酸を加熱して結晶化させる時間（以下、加熱時間と称す）が一定のとき、散乱係数ｑ（ｘ）は定数ｑｓとなるので、式（１）より、
【数３】
2007163900.tif 000005
が成り立つ。
【００４１】
従って、加熱温度と加熱時間とを一定とする条件の下で形成された照射部１１から側方に出力される光の強度（光散乱強度）を測定することで、その加熱時間での散乱係数ｑｓを算出できる。そして、加熱時間を変えながら散乱係数ｑｓを算出することで、散乱係数ｑｓの加熱時間依存性が得られる。よって、コア部３及びクラッド部５の構成材料として使用するポリ乳酸に対して予め加熱時間依存性を算出しておき、算出された加熱時間依存性から、図３に示すような散乱係数ｑ（ｘ）の勾配が形成されるように引き上げ速度を決定する。
【００４２】
以上の説明では、光導波繊維体１５の先端部を油浴１９に浸けて加熱することで照射部１１を形成しているが、先端部の加熱方法は、油浴１９につけることに限定されず、結晶化した部分が形成されるように加熱できればよい。
【００４３】
続いて、図６を利用して光導波繊維体１の作用・効果について説明する。図６は、光導波繊維体１を利用したガン治療におけるＰＤＴの一実施形態の模式図である。
【００４４】
先ず、ガン細胞に親和性を有するガン親和光感受性薬品（ＰＳ：フォトシンセタイザ）を人体（生体）２１に投与する。ここでは、波長６６４ｎｍの光に反応するレザフィリンをＰＳとする。ＰＳの多くは、病巣であるガン組織２３に選択的に取り込まれる一方、取り込まれたもの以外はほぼ体外に放出される。
【００４５】
次いで、図６に示すように、人体２１内に、テフロン（登録商標）等からなるガイド管２５を挿入した後、ガイド管２５に光導波繊維体１を通して、光導波繊維体１の照射部１１をガン組織２３上又はガン組織２３近傍に配置する。続いて、光導波繊維体１の入射端１ａから、ＰＳを励起可能な波長６６４ｎｍの光を入射させる。
【００４６】
光導波繊維体１に入射された光は、導波部９内を伝播した後、照射部１１に入射する。照射部１１に入射された光は、コア・クラッド構造によってコア部３内を長手方向に伝播されながら、その一部は、コア部３内に分散している散乱体１３によって散乱される。これにより、光は、出射端１ｂから出力されると共に、出射端１ｂ側からみた場合に光導波繊維体１を中心として全方位に向けて外周面１１ａから出力される。
【００４７】
この際、複数の散乱体１３は所定の散乱係数の勾配が得られるように分散しているので、コア部３の延在方向（長手方向）に沿って均一な強度の光が照射部１１から出力される。
【００４８】
そして、照射部１１は、ガン組織２３近傍に配置されていることから、照射部１１から全方位に出力された光は、ガン組織２３全体に均一な強度で照射されることになる。この照射された光によってガン組織２３に取り込まれたＰＳが光励起される。光励起されたＰＳの緩和時に発生する活性酸素又は活性ラジカル種といった活性種がガン組織を攻撃し、ガン組織２３を壊死させる。ＰＤＴでは、投与される薬剤をガン組織２３にのみ選択的に作用させるので、薬剤投与による副作用が起こらない。以上の説明では、ガイド管２５内に光導波繊維体１が挿入されるとしたが、光導波繊維体１は、例えば、内視鏡等と組み合わせて使用しても良い。
【００４９】
上記光導波繊維体１では、導波部９と照射部１１とが一体に成形されているので、照射部１１が導波部９から切れたりはずれたりして人体（生体）に残るということが生じにくい。また、コア部３及びクラッド部５が光導波繊維体１で導波される光の波長に対して吸収を殆ど有しない材料から形成されていることで吸収による熱発生もないので、焼き切れ等によって照射部１１が導波部９からとれて生体内に残る可能性も低減されている。
【００５０】
また、仮に、光導波繊維体１の一部が破損したりして生体内に残ったとしても、コア部３及びクラッド部５が生体吸収性高分子から形成されており、添加物７も食用の染料やビタミンから形成されているので、生体に残った部分は、分解され生体に吸収される。よって、光導波繊維体１では生体に対する安全性の向上が図られており、医療用として好適に使用できる。
【００５１】
また、いわゆる光ファイバの導波領域であるコア部３に散乱体１３が直接分散されていることから多くの光を散乱可能であり、より確実に側方に光を出力できる。更に、照射部１１の長手方向における光強度が均一になるように出射端１ｂ側に向けて散乱体１３の分布密度や大きさが調整されている。これにより、照射部１１での光の散乱係数が出射端１ｂ側に向かうにつれて大きくなり、出射端１ｂ側で光が散乱される確率が高くなる。そのため、照射部１１の外周面１１ａからは長手方向の位置によらずにほぼ同じ強度の光が出力される結果、病巣全体に均一な光を照射可能であり、光導波繊維体１は、医療、特にＰＤＴに好適に適用できる。
【００５２】
以上、本発明の実施形態について説明したが、本発明は上記実施形態に限定されない。図１に示した光導波繊維体１では、クラッド部５にも散乱体１３が分散されているとしたが、散乱体１３はコア部３に分散されていればよい。
【００５３】
また、光導波繊維体１の製造方法は、押出成形法に限定されず、ロッドインチューブ法や、金型を利用した方法も適用できる。ロッドインチューブ法では、予め作製したコア部ロッドを、例えば、ポリ乳酸熱収縮チューブに挿入し、加熱一体化させて光導波繊維体１５を製造する。または、チューブを加熱し、表面張力を利用して収縮一体化させて光導波繊維体１５を製造する。また、金型を利用する場合には、溶融した光導波繊維体１５の材料を金型に流し込み、光導波繊維体１５を作製する。
【００５４】
このようにしてロッドインチューブ法や金型を利用して製造した光導波繊維体１５を油浴１９に浸けて実施形態と同様にして光導波繊維体１を製造すればよい。
【００５５】
更に、次のようにしてもよい。すなわち、押出成形法やロッドインチューブ法や金型を利用して、先ず、光導波繊維体１５のプリフォームを製造してからそのプリフォームを線引きし、更に、延伸させて光導波繊維体１５を得る。次いで、実施形態と同様にして油浴１９を利用して光導波繊維体１を製造することも可能である。光導波繊維体１５を得る場合には、プリフォームの後に、延伸してから線引きすることも可能である。
【００５６】
更にまた、散乱体１３が分散されていない光導波繊維体１５を製造した後に照射部１１を形成して光導波繊維体１を得ているが、ロッドインチューブ法、金型を利用する方法で、照射部１１を有する光導波繊維体１を直接製造してもよい。
【００５７】
また、散乱体１３は、コア部３及びクラッド部５の主成分（例えば、ポリ乳酸）が結晶化したものとしたが、コア部３を伝播する光を散乱できれば特に限定されない。例えば、気泡なども有効である。気泡を分散させる場合には、光導波繊維体１５の先端部を高圧気泡ガス環境下においた後、一気に常圧に戻せばよい。
【００５８】
また、コア部３及びクラッド部５並びに散乱体１３は生体吸収性高分子が生体への安全性の観点から好ましいが、これに限定されない。更に、添加剤７として染料やビタミンや医療用染料を例示したが、生体に対して負荷の小さいものであればよく、脂肪酸ポリエステル、ポリオール等の高分子や、フタル酸、トリメリット酸、アジピン酸などやその誘導体、またアルコール類は得にオクタノール、ノナノール、高級混合アルコール、ジグリセロールテトアアセテート等の低分子のものも例示される。更に、無機分子として、ＮａＣｌ、ＫＣｌ、ＭｇＣｌ２等が例示される。
【００５９】
上記実施形態では、光導波繊維体１５の一部を加熱することで、散乱体１３の分布密度及び大きさを変えて散乱係数の勾配を形成しているとしたが、これに限定されない。散乱体１３の分布密度及び大きさの少なくとも一方を調整することで、照射部１１の長手方向における光強度が均一になる散乱係数の勾配が得られていればよい。
【００６０】
また、図１に示した光導波繊維体１では、クラッド部５は一層としたが、複数層から構成されていてもよい。更に、光導波繊維体１の屈折率分布は、図１に示すようにステップインデックス型（ＳＩ型）に限定されず、二重コア構造であってもよく、三重コア、それ以上でもよい。また、グレーデッドインテックス型（ＧＩ型）でもよい。
【図面の簡単な説明】
【００６１】
【図１】本発明に係る光導波繊維体の一実施形態の断面図である。
【図２】シミュレーションのためにモデル化した光導波繊維体の模式図である。
【図３】散乱係数の位置依存性を示すグラフである。
【図４】光導波繊維体の製造における一工程を示す図である。
【図５】光導波繊維体の製造における図４に続く工程を示す図である。
【図６】図１に示した光導波繊維体を適用した光線力学療法の一実施形態の模式図である。
【符号の説明】
【００６２】
１…光導波繊維体、１ａ…入射端（一端）、１ｂ…出射端（他端）、３…コア部、５…クラッド部、７…添加剤、９…導波部、１１…照射部、１１ａ…外周面、１３…散乱体、１９…油浴、２１…人体（生体）、２３…ガン組織（病巣）、２５…ガイド管。
【図１】
2007163900.tif 000006
【図２】
2007163900.tif 000007
【図３】
2007163900.tif 000008
【図４】
2007163900.tif 000009
【図５】
2007163900.tif 000010
【図６】
2007163900.tif 000011